(57)【要約】【課題】本発明は、極めて使い勝手のよい車載用電子機器を提供することを目的とするものである。【解決手段】本発明において、配信制御部２５は、一方の表示装置７の表示操作部１５から、他方の表示装置８の表示部１２に出力されているコンテンツの視聴入力がなされた場合、この一方の表示装置７の表示部１１に他方の表示装置８の表示部１２に出力されているコンテンツの再生開始時期選択メッセージを表示させる構成としたものである。【選択図】図２
2015062263.tif 000002
【特許請求の範囲】
【請求項１】
車内に配置される複数個の表示装置と、これら複数個の表示装置に接続された制御装置とを備え、
前記表示装置は、表示部と、この表示部に接続された表示制御部と、この表示制御部に接続された表示操作部とを有し、
前記制御装置は、前記複数個の表示装置に対するコンテンツ配信を制御する配信制御部と、この配信制御部によって前記複数個の表示装置に配信されているコンテンツの種別とその再生状況を記憶する記憶部とを有し、
前記配信制御部は、一方の表示装置の表示操作部から、他方の表示装置の表示部に出力されているコンテンツの視聴入力がなされた場合、この一方の表示装置の表示部に前記他方の表示装置の表示部に出力されているコンテンツの再生開始時期選択メッセージを表示させる構成とした車載用電子機器。
【請求項２】
前記表示装置は、外部の通信機器と通信するための通信部を有する構成とした請求項１に記載の車載用電子機器。
【請求項３】
前記表示装置の前記通信部と接続可能であり、また、複数のコンテンツを記憶しているとともに、記憶された複数のコンテンツを前記表示装置に送信可能な携帯端末を備えた請求項２に記載の車載用電子機器。
【請求項４】
車内に配置される複数個の表示装置と、これら複数個の表示装置に接続された制御装置と、前記表示装置と接続可能であり、また、複数のコンテンツを記憶しているとともに、記憶された複数のコンテンツを前記表示装置に配信可能な携帯端末とを備え、
前記表示装置は、表示部と、この表示部に接続された表示制御部と、この表示制御部に接続された表示操作部と通信部とを有し、
前記制御装置は、前記複数個の表示装置に対するコンテンツ配信を制御する配信制御部と、この配信制御部によって前記複数個の表示装置に配信されているコンテンツの種別とその再生状況を記憶する記憶部とを有し、
前記配信制御部は、一方の表示装置の表示操作部から、他方の表示装置の表示部に出力されているコンテンツの視聴入力がなされた場合、この一方の表示装置の表示部に前記他方の表示装置の表示部に出力されているコンテンツの再生開始時期選択メッセージを表示させる構成とした再生システム。
【発明の詳細な説明】
【技術分野】
【０００１】
本発明は、車載用電子機器とそれを用いた再生システムに関するものである。
【背景技術】
【０００２】
従来の電子機器は、以下のような構成となっていた。
【０００３】
すなわち、航空機内に配置される複数個の表示装置と、これら複数個の表示装置に接続された制御装置とを備える構成となっていた（たとえば下記特許文献１）。
【０００４】
また、従来の電子機器間のコンテンツ伝達方法としては、以下のようなものも存在する。
【０００５】
すなわち、ＤＬＮＡ（登録商標）（Ｄｉｇｉｔａｌ  Ｌｉｖｉｎｇ  Ｎｅｔｗｏｒｋ  Ａｌｌｉａｎｃｅ）で策定されている、ＤＬＮＡ（登録商標）ガイドラインである（下記先行技術文献１）。ＤＬＮＡ（登録商標）に準拠していれば、コンテンツを保持する１つのＤＬＮＡ（登録商標）サーバーに、コンテンツを要求する複数のＤＬＮＡ（登録商標）クライアントが接続した場合、個々のＤＬＮＡ（登録商標）クライアントに、ＤＬＮＡ（登録商標）サーバが保持する任意のコンテンツを任意のタイミングで独立に配信することが可能である。
【先行技術文献】
【特許文献】
【０００６】
【特許文献１】特開２０１１−１３５１１７号公報
【非特許文献】
【０００７】
【非特許文献１】ＤＬＮＡ  Ｏｖｅｒｖｉｅｗ  ａｎｄ  Ｖｉｓｉｏｎ  Ｗｈｉｔｅｐａｐｅｒ  ２００７（ｈｔｔｐ：／／ｗｗｗ．ＤＬＮＡ．ｏｒｇ／ｎｅｗｓ／ＤＬＮＡ（登録商標）＿ｗｈｉｔｅ＿ｐａｐｅｒ．ｐｄｆ）
【発明の概要】
【発明が解決しようとする課題】
【０００８】
上記航空機の従来例においては、航空機内の複数の座席毎に設置された電子機器では、個人が持ち込んだ携帯端末を表示装置に接続させて携帯端末内のコンテンツを視聴できるようになっているとともに、機内の全座席の表示装置に対して搭乗機の飛行状況を表す航路地図等を表示させることができるようになっている。
したがって、この電子機器では、各個人が見たい携帯端末内のコンテンツは、その人のみが視聴することができ、機長からのアナウンスや飛行状況は、全乗客が同じ映像や音声を同時に視聴することができるものとなる。
しかしながら、自動車内の場合では、搭乗者は家族や友人など、全員が知り合いであることが多い。そのため、複数個の表示装置と、これら複数個の表示装置に接続された制御装置とを備える電子機器を備えた車に乗っている人は、各個人が見ているコンテンツを隣の人も見たいという要求が生じる場合がある。
たとえば、自動車において、後部座席の左右に、それぞれが視聴可能な表示装置を各座席毎に配置し、自分が後部座席の左に座っている場合、右に座っている友人が、彼の携帯端末に記憶されている漫才のコンテンツを右座席の表示装置に映して見て笑っていたときに、自分の画面でもその面白いと思われる場面を見たいと考えることがある。この場合、自分が友人と同じ漫才のコンテンツを見たいときには、右座席の人が見ているコンテンツを
記憶している携帯端末に接続したうえで、コンテンツを最初から再生しなければならなず、使い勝手の悪いものとなることがある。そこで本発明は、使い勝手のよい車載用電子機器を提供することを目的とする。
【課題を解決するための手段】
【０００９】
そして、この目的を達成するために本発明は、車内に配置される複数個の表示装置と、これら複数個の表示装置に接続された制御装置とを備え、前記表示装置は、表示部と、この表示部に接続された表示制御部と、この表示制御部に接続された表示操作部とを有し、前記制御装置は、前記複数個の表示装置に対するコンテンツ配信を制御する配信制御部と、この配信制御部によって前記複数個の表示装置に配信されているコンテンツの種別とその再生状況を記憶する記憶部とを有し、前記配信制御部は、一方の表示装置の表示操作部から、他方の表示装置の表示部に出力されているコンテンツの視聴入力がなされた場合、この一方の表示装置の表示部に前記他方の表示装置の表示部に出力されているコンテンツの再生開始時期選択メッセージを表示させる構成とし、これにより所期の目的を達成するものである。
【発明の効果】
【００１０】
以上のように、本発明は、配信制御部に、一方の表示装置の表示操作部から、他方の表示装置の表示部に出力されているコンテンツの視聴入力がなされた場合、この一方の表示装置の表示部に前記他方の表示装置の表示部に出力されているコンテンツの再生開始時期選択メッセージを表示させる構成としたものであるので、使い勝手のよいものとなるのである。
【００１１】
すなわち、自動車においては、後部座席の左右に、それぞれが視聴可能な表示装置を各座席毎に配置し、自分が後部座席の左に座っている場合、右に座っている友人が、彼の携帯端末に記憶されている漫才のコンテンツを見て笑っていたときに、自分の画面でもその面白いと思われる場面を見たいと考えることがある。この場合、自分が友人と同じ漫才のコンテンツを見たいときには、自分の表示装置の表示部に友人の表示装置の表示部に出力されているコンテンツの再生開始時期選択メッセージを表示させることができるため、再生開始時期を選択することによって自分の席に配置されている表示装置においても、友人が再生中の漫才のコンテンツの同じ箇所からこのコンテンツを再生できるため、友人と楽しさを共有することができ、極めて使い勝手のよいものとなるのである。
【図面の簡単な説明】
【００１２】
【図１】本発明の一実施形態における車載用電子機器を搭載した自動車を示す図
【図２】同車載用電子機器の制御ブロック図
【図３】同車載用電子機器の動作フローチャート
【図４】同車載用電子機器の動作フローチャート
【図５】同車載用電子機器の動作フローチャート
【図６】同車載用電子機器の動作フローチャート
【発明を実施するための形態】
【００１３】
以下、本発明の実施の形態を添付図面を用いて説明する。
【００１４】
（実施の形態１）
図１において、１は車両本体を示し、その室内２の前方にはハンドル３、運転席４、および、助手席５が配置され、また室内２の後方には後席６が配置されている。室内２の運転席４と助手席５の背面には、それぞれ後席に座る人向けの表示装置７、８が設置されている。また、室内２の運転席４と助手席５の間には、制御装置９が設置されている。
【００１５】
本実施形態の車載用電子機器１０は、図２の如く表示装置７、８と、この表示装置７、８に接続している制御装置９とを備えている。また、表示装置７、８は、携帯端末３９と通信接続が可能である。
【００１６】
前記表示装置７、８は、それぞれモニター１１、１２と、このモニター１１、１２に接続された表示制御部１３、１４と、この表示制御部１３、１４に接続された表示操作部１５、１６とを備える。また、前記表示制御部１３、１４には、送受信部１７、１８が接続され、この送受信部１７、１８には、デコーダ１９、２０が接続されている。このデコーダ１９、２０は、表示制御部１３、１４、モニター１１、１２、および、ヘッドホン送信部２１、２２に接続されている。このヘッドホン送信部２１、２２は、ヘッドホン２３、２４に音声を送信する。
【００１７】
制御装置９は、配信制御部２５を備えており、この配信制御部２５は、記憶部２６、表示制御部１３、１４、スイッチ２７、２８と接続している。このスイッチ２７、２８は、入力端子２９、３０、３１、３２との接続を、配信制御部２５からの指示に従って切り換える。入力端子２９は、ナビゲーション装置３３に接続されている。入力端子３０は、車内に設置されているＢＤ（Ｂｌｕ−ｒａｙ  Ｄｉｓｃ）プレーヤー３４に接続されている。入力端子３１は、ゲーム用機器に代表される持込ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）機器３５に接続されている。入力端子３２は、ＶＴＲ（Ｖｉｄｅｏｔａｐｅ  Ｒｅｃｏｒｄｅｒ）装置３６に接続されている。
【００１８】
なお、入力端子２９とナビゲーション装置３３には、アンプ３７を介して、車載スピーカ３８が接続されている。
【００１９】
携帯端末３９は、携帯端末制御部４０と、この携帯端末制御部４０に接続された携帯端末通信部４１、携帯端末コンテンツ記憶部４２を有している。
【００２０】
以上の構成において、図２に示す車載用電子機器１０の動作について以下説明を続ける。
【００２１】
まず、表示装置７と表示装置８とが、それぞれ制御装置９に接続されているＢＤプレーヤー３４と、ＶＴＲ装置３６に含まれる別々のコンテンツを視聴していたとする。
【００２２】
そして、表示装置７のモニター１１からＢＤプレーヤー３４のコンテンツを視聴してるユーザーＡが、視聴するコンテンツを携帯端末３９の携帯端末コンテンツ記憶部４２に記憶されているコンテンツＸを視聴しようと考えたとき、ユーザーＡは、表示操作部１５を操作して表示制御部１３に携帯端末コンテンツ記憶部４２に記憶されているコンテンツＸを視聴するためのコマンドを選択する（図３のＳ１）。
【００２３】
すると、表示制御部１３から配信制御部２５に、表示装置７が携帯端末に記憶されているコンテンツＸを視聴するというコマンドが選択されたことを伝達する（図３のＳ２）。
【００２４】
次に、配信制御部２５は、スイッチ２７からのコンテンツ入力を無効にするとともに、表示制御部１３に、送受信部１７を介して携帯端末３９と通信接続を行うことを指示する。また、表示装置７がコンテンツＸを視聴していることを記憶部２６に記憶する（図３のＳ３）。
【００２５】
この記憶部２６は、表示装置７と表示装置８が、それぞれいずれの機器のいずれのコンテンツを視聴しているかを常に記憶している。
【００２６】
そして、配信制御部２５は、記憶部２６に記憶されている表示装置７と表示装置８の再生中のコンテンツを比較する（図３のＳ４）。
【００２７】
この場合、表示装置７と表示装置８が視聴しているコンテンツは、それぞれ携帯端末３９のコンテンツＸとＶＴＲ装置３６のコンテンツであり、視聴しているコンテンツが異なるため、表示装置７が視聴するコンテンツＸは、ユーザＡのみが視聴することになる。
【００２８】
次に、表示制御部１３は、表示装置７の送受信部１７と携帯端末３９の携帯端末通信部４１を介して、携帯端末制御部４０にコンテンツＸを最初から送信することを指示する（図３のＳ５）。
【００２９】
そして、携帯端末制御部４０は、携帯端末コンテンツ記憶部４２からコンテンツＸを取得し、最初から携帯端末通信部４１より表示装置７に送信する（図３のＳ６）
この送信されたコンテンツＸの再生情報を、表示装置７の送受信部１７が受信すると、再生情報はデコーダ１９でデコードされる。このデコードされた再生情報出力のうち、映像情報はモニター１１から出力され、音声情報はヘッドホン送信部２１を介して、ヘッドホン２３から出力される（図３のＳ７）。
【００３０】
次に、上述のように表示装置７と表示装置８が視聴しているコンテンツが、それぞれ携帯端末３９のコンテンツＸとＶＴＲ装置３６のコンテンツである状態であるとき、表示装置８のモニター１２からＶＴＲ装置３６のコンテンツを視聴してるユーザーＢが、視聴するコンテンツを携帯端末３９の携帯端末コンテンツ記憶部４２に記憶されているコンテンツＹを視聴しようと考えた場合について説明する。コンテンツＹは、コンテンツＸとは異なるものである。
【００３１】
このとき、ユーザーＢは、表示操作部１６を操作して表示制御部１４に携帯端末コンテンツ記憶部４２に記憶されているコンテンツＹを視聴するためのコマンドを選択する（図４のＳ８）。
【００３２】
すると、表示制御部１４から配信制御部２５に、表示装置８が携帯端末に記憶されているコンテンツＹを視聴するというコマンドが選択されたことを伝達する（図４のＳ９）。
【００３３】
次に、配信制御部２５は、スイッチ２８からのコンテンツ入力を無効にするとともに、表示制御部１４に、送受信部１８を介して携帯端末３９と通信接続を行うことを指示する。また、表示装置８がコンテンツＹを視聴していることを記憶部２６に記憶する（図４のＳ１０）。
【００３４】
そして、配信制御部２５は、記憶部２６に記憶されている表示装置７と表示装置８の再生中のコンテンツを比較する（図４のＳ１１）。
【００３５】
この場合、表示装置７と表示装置８が視聴しているコンテンツは、それぞれ携帯端末３９のコンテンツＸとコンテンツＹであり、視聴しているコンテンツが異なるため、表示装置８が視聴するコンテンツＹは、ユーザＢのみが視聴することになる。
【００３６】
次に、表示制御部１４は、表示装置８の送受信部１８と携帯端末３９の携帯端末通信部４１を介して、携帯端末制御部４０にコンテンツＹを最初から再生送信することを指示する（図４のＳ１２）。
【００３７】
そして、携帯端末制御部４０は、携帯端末コンテンツ記憶部４２からコンテンツＹを取
得し、最初から携帯端末通信部４１より表示装置８に送信する（図４のＳ１３）
この送信されたコンテンツＹの再生情報を、表示装置８の送受信部１８が受信すると、再生情報はデコーダ２０でデコードされる。このデコードされた再生情報のうち、映像情報はモニター１２から出力され、音声情報はヘッドホン送信部２２を介して、ヘッドホン２４から出力される（図４のＳ１４）。
【００３８】
次に、上述のように表示装置７と表示装置８が視聴しているコンテンツが、それぞれ携帯端末３９のコンテンツＸとコンテンツＹである状態の場合、表示装置８のモニター１２からコンテンツＹを視聴してるユーザーＢが、視聴するコンテンツを携帯端末３９の携帯端末コンテンツ記憶部４２に記憶されているコンテンツＸを視聴しようと考えた場合について説明する。
ユーザーＡは、ユーザーＢに先立ってコンテンツＸを視聴しているため、ユーザーＢとは異なったシーンを見ている。
【００３９】
このとき、ユーザーＢは、表示操作部１６を操作して表示制御部１４に携帯端末コンテンツ記憶部４２に記憶されているコンテンツＸを視聴するためのコマンドを選択する（図５のＳ１５）。
【００４０】
すると、表示制御部１４から配信制御部２５に、表示装置８が携帯端末３９に記憶されているコンテンツＸを視聴するというコマンドが選択されたことを伝達する（図５のＳ１６）。
【００４１】
次に、配信制御部２５は、スイッチ２８からのコンテンツ入力を引き続き無効にするとともに、表示制御部１４に、送受信部１８を介して携帯端末３９と通信接続を行うことを指示する。また、表示装置８がコンテンツＸを視聴していることを記憶部２６に記憶する（図５のＳ１７）。
【００４２】
そして、配信制御部２５は、記憶部２６に記憶されている表示装置７と表示装置８の再生中のコンテンツを比較する（図５のＳ１８）。
【００４３】
この場合、表示装置７と表示装置８が視聴するコンテンツは、ともに携帯端末３９のコンテンツＸであり、視聴しているコンテンツが同じとなる。
【００４４】
配信制御部２５が、表示装置７と表示装置８が視聴するコンテンツがともにコンテンツＸであることを認識すると、配信制御部２５は表示制御部１４に、表示装置７でコンテンツＸを視聴中であることを通知する（図５のＳ１９）。
【００４５】
次に、表示制御部１４が表示装置８のモニター１２に、表示装置７で視聴しているコンテンツＸの映像と音声に同期させるか否かを尋ねるメッセージを表示する（図５のＳ２０）。
【００４６】
そして、ユーザＢが、表示操作部１６から表示装置７で視聴しているコンテンツＸと同期させることを選択すると（図６のＳ２１）、表示制御部１４は、配信制御部２５を介して表示制御部１３から同期のための再生時間を取得する（図６のＳ２２）。
【００４７】
次に、表示制御部１４は、表示装置８の送受信部１８と携帯端末通信部４１を介して、携帯端末制御部４０にコンテンツＸを、表示装置７がコンテンツＸを再生している時間と同じ再生時間（再生位置）から再生送信させることを指示する（図６のＳ２３）。
【００４８】
携帯端末制御部４０は、携帯端末コンテンツ記憶部４２からコンテンツＸを取得し、表
示制御部１４から指定された再生時間（再生位置）からコンテンツＸを携帯端末通信部４１より表示装置８へ送信する（図６のＳ２４）。
【００４９】
この送信されたコンテンツＸの再生情報を、表示装置８の送受信部１８が受信すると、コンテンツＸはデコーダ２０でデコードされる。このデコードされたコンテンツＸのうち、映像情報はモニター１２から出力され、音声情報はヘッドホン送信部２２を介して、ヘッドホン２４から出力される（図６のＳ２５）。これにより、表示装置８で出力されている映像情報と音声情報は、表示装置７で再生されているコンテンツＸと同じタイミングで出力されることとなる。
【００５０】
また、図６のＳ２１において、ユーザーＢが、表示操作部１６から表示装置７で視聴しているコンテンツＸと同期させないことを選択すると、表示制御部１４は、表示装置８の送受信部１８と携帯端末３９の携帯端末通信部４１を介して、携帯端末制御部４０にコンテンツＸを最初から送信することを指示する（図６のＳ２６）。
【００５１】
そして、携帯端末制御部４０は、携帯端末コンテンツ記憶部４２からコンテンツＸを取得し、最初から携帯端末通信部４１より表示装置８に送信する（図６のＳ２７）。
【００５２】
この送信されたコンテンツＸの再生情報を、表示装置８の送受信部１８が受信すると、再生情報コンテンツはデコーダ２０でデコードされる。このデコードされた再生情報のうち、映像情報はモニター１２から出力され、音声情報はヘッドホン送信部２２を介して、ヘッドホン２４から出力される（図６のＳ２８）。
【００５３】
上述したような車載用電子機器１０において、たとえば、コンテンツＸが漫才のコンテンツであるとした場合、自動車においては、後部座席の左右に、それぞれが視聴可能な表示装置を各座席毎に配置したとき、右に座っている友人が、彼の携帯端末３９に記憶されている漫才のコンテンツを見て笑っていたならば、左に座っている自分の画面でもその面白いと思われる場面を見たいと考えることがある。この場合、自分が友人と同じ漫才のコンテンツを見たいときには、自分の表示装置８に友人の表示装置７に出力されているコンテンツの再生開始時期選択メッセージを表示させることができるため、再生開始時期を選択することによって自分の席に配置されている表示装置８においても、友人が再生中の漫才のコンテンツの同じ箇所からこのコンテンツを再生でき、友人と楽しさを共有することができるため、極めて使い勝手のよいものとなるのである。
【産業上の利用可能性】
【００５４】
以上のように、本発明においては、配信制御部に、一方の表示装置の表示操作部から、他方の表示装置の表示部に出力されているコンテンツの視聴入力がなされた場合、この一方の表示装置の表示部に前記他方の表示装置の表示部に出力されているコンテンツの再生開始時期選択メッセージを表示させることができ、この結果として使い勝手のよいものとなるのである。
【００５５】
したがって、車載用電子機器としての活用が期待される。
【符号の説明】
【００５６】
１  車両
２  室内
３  ハンドル
４  運転席
５  助手席
６  後席
７  表示装置
８  表示装置
９  制御装置
１０  車載用電子機器
１１  モニター
１２  モニター
１３  表示制御部
１４  表示制御部
１５  表示操作部
１６  表示操作部
１７  送受信部
１８  送受信部
１９  デコーダ
２０  デコーダ
２１  ヘッドホン送信部
２２  ヘッドホン送信部
２３  ヘッドホン
２４  ヘッドホン
２５  配信制御部
２６  記憶部
２７  スイッチ
２８  スイッチ
２９  入力端子
３０  入力端子
３１  入力端子
３２  入力端子
３３  ナビゲーション装置
３４  ＢＤプレーヤー
３５  持込ＨＤＭＩ機器
３６  ＶＴＲ装置
３７  アンプ
３８  車載スピーカ
３９  携帯端末
４０  携帯端末制御部
４１  携帯端末通信部
４２  携帯端末コンテンツ記憶部
【図１】
2015062263.tif 000003
【図２】
2015062263.tif 000004
【図３】
2015062263.tif 000005
【図４】
2015062263.tif 000006
【図５】
2015062263.tif 000007
【図６】
2015062263.tif 000008